(57)【要約】【課題】負圧が生じた際に、内窓の障子が外れることを抑制できる二重サッシを提供する。【解決手段】二重サッシは、建築物の開口部に設置され、外窓及び内窓４を備えた二重サッシであって、外窓では、屋内側から屋外側に向かう圧力が生じた際に、空気が屋内側から屋外側に流通可能となり、内窓４は、上枠４１、下枠及び左右の縦枠が枠組みして構成された枠体と、枠体内に左右方向にスライド可能に配置された外障子５０Ａ及び内障子５０Ｂと、を有し、上枠４１は、開口部の上端の下方に隙間を有して配置され、上枠４１には、外障子及び内障子５０Ｂが閉塞された閉塞状態で、外障子の屋内側及び内障子５０Ｂの屋外側に、それぞれ隙間と連通する換気孔４３１Ａ，４３２Ａが形成されていることを特徴とする。【選択図】図７
2019116765.tif 000002
【特許請求の範囲】
【請求項１】
建築物の開口部に設置され、外窓及び該外窓の屋内側に配置された内窓を備えた二重サッシであって、
前記外窓では、屋内側から屋外側に向かう圧力が生じた際に、空気が屋内側から屋外側に流通可能となり、
前記内窓は、上枠、下枠及び左右の縦枠が枠組みして構成された枠体と、該枠体内に左右方向にスライド可能に配置された外障子及び内障子と、を有し、
前記上枠は、前記開口部の上端の下方に隙間を有して配置され、
前記上枠には、前記外障子及び前記内障子が閉塞された閉塞状態で、前記外障子の前記屋内側及び前記内障子の前記屋外側に、それぞれ前記隙間と連通する換気孔が形成されていることを特徴とする二重サッシ。
【請求項２】
前記内窓は、
前記開口部の上端に沿って配置された調整上枠を有し、
該調整上枠は、
前記開口部の上端に固定される固定部と、
該固定部と前記上枠との間に配置され、上下方向に伸縮可能な伸縮部と、を有し、
該伸縮部は、平面視で、前記換気孔と異なる位置に配置されている請求項１に記載の二重サッシ。
【請求項３】
前記伸縮部は、前記上枠の延在方向の略全長にわたって配置されている請求項２に記載の二重サッシ。
【請求項４】
前記上枠には、上下方向に貫通し、前記開口部の上端に螺合される螺子が挿通される取付孔が形成され、
前記換気孔は、前記取付孔と、前記上枠の延在方向及び屋内外方向の少なくともいずれか一方の方向に重ならない位置に形成されている請求項１から３のいずれか一項に記載の二重サッシ。
【発明の詳細な説明】
【技術分野】
【０００１】
本発明は、二重サッシに関するものである。
【背景技術】
【０００２】
従来から、防音性や断熱性の向上のために、建築物の開口部に外窓及び内窓を設けた二重サッシが知られている（例えば、特許文献１参照）。また、北海道等の寒冷地では、断熱性をさらに向上させるために、内窓に樹脂製のサッシが採用されることがある。
【０００３】
外窓及び内窓が引違いサッシの場合、正圧（屋外側から屋内側に向かう圧力）に対して、気密性を確保する構造とされている。そして、正圧が生じると、内窓には外窓に作用する圧力の約１割の大きさの圧力が作用し、負圧（屋内側から屋外側に向かう圧力）が生じると、内窓には外窓に作用する圧力の約８割の大きさの圧力が作用することが確認されている。
【先行技術文献】
【特許文献】
【０００４】
【特許文献１】実公昭６０−２８７６８号公報
【発明の概要】
【発明が解決しようとする課題】
【０００５】
中高層建築物のように障子に作用する風圧が大きい建築物で、内窓が負圧に耐えられず、内窓の障子が枠から外れたり、外れた障子が倒れてガラスが破損したりする虞がある。
【０００６】
そこで、本発明は、上記事情に鑑みてなされたものであり、負圧が生じた際に、内窓の障子が外れることを抑制できる二重サッシを提供する。
【課題を解決するための手段】
【０００７】
上記目的を達成するために、本発明は以下の手段を採用している。
すなわち、本発明に係る二重サッシは、建築物の開口部に設置され、外窓及び該外窓の屋内側に配置された内窓を備えた二重サッシであって、前記外窓では、屋内側から屋外側に向かう圧力が生じた際に、空気が屋内側から屋外側に流通可能となり、前記内窓は、上枠、下枠及び左右の縦枠が枠組みして構成された枠体と、該枠体内に左右方向にスライド可能に配置された外障子及び内障子と、を有し、前記上枠は、前記開口部の上端の下方に隙間を有して配置され、前記上枠には、前記外障子及び前記内障子が閉塞された閉塞状態で、前記外障子の前記屋内側及び前記内障子の前記屋外側に、それぞれ前記隙間と連通する換気孔が形成されていることを特徴とする。
【０００８】
このように構成された二重サッシでは、外窓及び内窓が閉塞された閉塞状態で、負圧が生じた際に、空気は、上枠における換気孔のうち外障子よりも屋内側に形成された換気孔を通過し、上枠と開口部の上端との間の隙間を通過して、上枠における換気孔のうち内障子よりも屋外側に形成された換気孔を通過する。また、外窓では、負圧が生じた際に、空気を屋内側から屋外側に流通可能となる。よって、負圧が生じた際に、内窓の屋内側から外窓の屋外側まで連通した空気の流路ができるため、内窓の屋内側と屋外側との圧力差（内窓に作用する圧力）を低減させることができ、内窓の外障子及び内障子が枠体から外れることが抑制される。
【０００９】
また、本発明に係る二重サッシでは、前記内窓は、前記開口部の上端に沿って配置された調整上枠を有し、該調整上枠は、前記開口部の上端に固定される固定部と、該固定部と前記上枠との間に配置され、上下方向に伸縮可能な伸縮部と、を有し、該伸縮部は、平面視で、前記換気孔と異なる位置に配置されていることが好ましい。
【００１０】
このように構成された二重サッシでは、開口部の上端に固定部を固定することで、上枠の上方には、伸縮部の高さに相当する高さの隙間が形成される。また、換気孔は、平面視で、伸縮部と異なる位置に配置されている。よって、負圧が生じた際に、内窓の屋内側から換気孔及び上枠の上方の隙間を通過して外窓の屋外側まで連通した流路を確実に形成することができる。
【００１１】
また、本発明に係る二重サッシでは、前記伸縮部は、前記上枠の延在方向の略全長にわたって配置されていてもよい。
【００１２】
また、本発明に係る二重サッシは、前記上枠には、上下方向に貫通し、前記開口部の上端に螺合される螺子が挿通される取付孔が形成され、前記換気孔は、前記取付孔と、前記上枠の延在方向及び屋内外方向の少なくともいずれか一方の方向に重ならない位置に形成されていてもよい。
【００１３】
このように構成された二重サッシでは、上枠の取付孔には螺子が挿通され、螺子は開口部の上端に螺合されている。上枠における取付孔の外縁には、開口部の上端に螺合された螺子により負荷が作用する。換気孔は取付孔と上枠の延在方向及び屋内外方向の少なくともいずれか一方の方向に重ならない位置形成されているため、換気孔が取付孔に作用する負荷の影響を受けて破損することが抑制される。
【発明の効果】
【００１４】
本発明に係る二重サッシによれば、負圧が生じた際に、内窓の外障子及び内障子が外れることを抑制できる。
【図面の簡単な説明】
【００１５】
【図１】本発明の一実施形態に係る二重サッシを屋内側から見た正面図である。
【図２】図１のＡ−Ａ線断面図である。
【図３】図１のＢ−Ｂ線断面図である。
【図４】図２のＣ部拡大図である。
【図５】図２のＤ部拡大図である。
【図６】本発明の一実施形態に係る二重サッシの内窓の上枠を下方から見た図である。
【図７】本発明の一実施形態に係る二重サッシの内窓において、負圧が生じた際の空気の流れを説明する図である。
【図８】本発明の一実施形態に係る二重サッシの外窓において、負圧が生じた際の挙動を示す図である。
【図９】本発明の一実施形態の変形例に係る二重サッシの内窓の上枠の上方の構成を示す水平断面図である。
【発明を実施するための形態】
【００１６】
以下、本発明の一実施形態に係る二重サッシについて、図１から図７に基づいて説明する。
図１は、本発明の一実施形態に係る二重サッシを屋内側から見た正面図である。図２は、図１のＡ−Ａ線断面図である。図３は、図１のＢ−Ｂ線断面図である。
図１から図３に示すように、二重サッシ１００は、建築物の壁部Ｗの開口部Ｐに設けられ、屋外側に配置された外窓１と、屋内側に配置された内窓４と、を備えている。
なお、以下の説明において、屋外側と屋内側とを結ぶ方向を屋内外方向と称する。また、屋内外方向と直交する方向のうち水平方向に沿う方向を左右方向と称する。また、屋内側から見て左側、右側を、それぞれ左側、右側と称する。
【００１７】
図２及び図３に示すように、外窓１は、開口部Ｐに設けられ四角形枠状に形成された枠体１０と、枠体１０に対して左右方向にスライド可能に設けられた外障子２０Ａ、内障子２０Ｂ及び網戸３０と、を有している。外窓１は、いわゆる引違いサッシである。
【００１８】
枠体１０は、左右方向に延在する上枠１１及び下枠１２と、上枠１１の両端部と下枠１２の両端部とをそれぞれ連結し上下方向に延在する縦枠１３と、を有している。本実施形態では、枠体１０は、アルミ製の押出成形部材で構成されている。
【００１９】
外障子２０Ａは枠体１０の屋外側に設けられ、内障子２０Ｂは枠体１０の屋内側に設けられている。外障子２０Ａ及び内障子２０Ｂが閉じた状態で、外障子２０Ａ及び内障子２０Ｂが枠体１０内を閉塞するように配置されている。外障子２０Ａ及び内障子２０Ｂは、それぞれ四方枠状に形成された框体２１と、框体２１内に納められたガラス２９と、を有している。
【００２０】
各框体２１は、左右方向に延在する上框２２及び下框２３と、上框２２の両端部と下框２３の両端部とをそれぞれ連結し上下方向に延在する戸先框２４及び召合せ框２５と、を有している。本実施形態では、框体２１は、アルミ製の押出成形部材で構成されている。
【００２１】
各框２２，２３，２４，２５においてガラス２９側を向く各端面（内周面）には、外方に向かって凹むガラス保持溝２７が形成されている。ガラス保持溝２７内には、ガラス２９の周縁部が嵌め込まれている。
【００２２】
外障子２０Ａと内障子２０Ｂとは、互いの召合せ框２５に設けられたクレセント錠（不図示）をロックすることによりスライド移動がロックされ、クレセント錠を解除することによりスライド移動が可能となるように構成されている。
【００２３】
網戸３０は、四方枠状に形成された網戸框体３１と、網戸框体３１内に設けられた網戸本体３９とを有している。網戸框体３１は、左右方向に延在する網戸上框３２及び網戸下框３３と、網戸上框３２の両端部と網戸下框３３の両端部とをそれぞれ連結し上下方向に延在する網戸縦框３４と、を有している。
【００２４】
図１に示すように、内窓４は、開口部Ｐの上端に沿って設けられた調整上枠５と、四角形枠状に形成された枠体４０と、枠体４０に対して左右方向にスライド可能に設けられた外障子５０Ａ及び内障子５０Ｂと、を有している。内窓４は、いわゆる引違いサッシである。
【００２５】
枠体４０は、左右方向に延在する上枠４１及び下枠４２と、上枠４１の両端部と下枠４２の両端部とをそれぞれ連結し上下方向に延在する縦枠４３と、を有している。本実施形態では、枠体４０は、合成樹脂製の押出成形部材で構成されている。
【００２６】
外障子５０Ａは枠体４０の屋外側に設けられ、内障子５０Ｂは枠体４０の屋内側に設けられている。外障子５０Ａ及び内障子５０Ｂが閉じた状態で、外障子５０Ａ及び内障子５０Ｂが枠体４０内を閉塞するように配置されている。外障子５０Ａ及び内障子５０Ｂは、それぞれ四方枠状に形成された框体５１と、框体５１内に納められたガラス５９と、を有している。
【００２７】
各框体５１は、左右方向に延在する上框５２及び下框５３と、上框５２の両端部と下框５３の両端部とをそれぞれ連結し上下方向に延在する戸先框５４及び召合せ框５５と、を有している。本実施形態では、框体５１は、合成樹脂製の押出成形部材で構成されている。
【００２８】
図２及び図３に示すように、各框５２，５３，５４，５５においてガラス５９側を向く各端面（内周面）には、外方に向かって凹むガラス保持溝５７が形成されている。ガラス保持溝５７内には、ガラス５９の周縁部が嵌め込まれている。
【００２９】
外障子５０Ａと内障子５０Ｂとは、互いの召合せ框５５に設けられたクレセント錠５５０（図１参照。以下同じ。）をロックすることによりスライド移動がロックされ、クレセント錠５５０を解除することによりスライド移動が可能となるように構成されている。
【００３０】
次に、各部の構成について詳細に説明する。
まず、外窓１の上枠１１について説明する。
図４は、図２のＣ部拡大図である。
図４に示すように、上枠１１は、上枠板部１１１と、上枠板部１１１から下方に延びる網戸突出枠壁部１１２、屋外側突出枠壁部１１３、屋内側突出枠壁部１１４及び下向き枠壁部１１５と、を有している。網戸突出枠壁部１１２、屋外側突出枠壁部１１３、屋内側突出枠壁部１１４、下向き枠壁部１１５は、この順に屋外側から屋内側に向かって配置されている。
【００３１】
上枠板部１１１は、平板状に形成され、板厚方向を上下方向に向けて配置されている。上枠板部１１１は、建築物の躯体Ｑに螺子等で固定されている。
【００３２】
網戸突出枠壁部１１２、屋外側突出枠壁部１１３、屋内側突出枠壁部１１４及び下向き枠壁部１１５は、平板状に形成され、板厚方向を屋内外方向に向けて配置されている。
【００３３】
下向き枠壁部１１５の下端部には、屋内側に向けて延びる取付壁部１１６が設けられている。取付壁部１１６は、平板状に形成され、板厚方向を上下方向に向けて配置されている。取付壁部１１６は、開口部Ｐの上端に設けられた上額縁Ｒの下面に螺子等で固定されている。
【００３４】
次に、外窓１の外障子２０Ａの上框２２について説明する。
上框２２は、屋外側に配置される上外板部２２１と、屋内側に配置される上内板部２２２と、上外板部２２１と上内板部２２２とを連結する上連結板部２２３と、を有している。
【００３５】
上外板部２２１及び上内板部２２２は、平板状に形成され、板厚方向を屋内外方向に向けて配置されている。
【００３６】
上連結板部２２３は、上外板部２２１の上下方向の中間と上内板部２２２の上下方向の中間とを連結している。
【００３７】
上外板部２２１の上部には、屋内側に向かって延びる一対の延出壁部２２６，２２７が設けられている。一対の延出壁部２２６，２２７は、上下方向に間隔を有して配置されている。延出壁部２２６は、延出壁部２２７の上方に配置されている。
【００３８】
延出壁部２２６の屋内側の端部には、下方に延びる下向き係止片２２６ａが設けられている。延出壁部２２７の屋内側の端部には、上方に延びる上向き係止片２２７ａが設けられている。
【００３９】
上外板部２２１の上端部には、気密材２２９が設けられている。気密材２２９は、上外板部２２１及び延出壁部２２６，２２７で囲まれた空間内に設けられる固定部２２９ａと、固定部２２９ａから屋内側に延びる気密片２２９ｂと、を有している。気密片２２９ｂの屋内側の端部は、上枠１１の屋外側突出枠壁部１１３の屋外側の面に当接している。上内板部２２２には、気密材が設けられていない。
【００４０】
外窓１の内障子２０Ｂの上框２２の構成は、外障子２０Ａの上框２２の構成と同様であり、同様に構成については同一の符号を付して説明を省略する。外窓１の内障子２０Ｂにも、気密材２２９が設けられている。内障子２０Ｂに設けられた気密片２２９ｂの屋内側の端部は、上枠１１の屋内側突出枠壁部１１４の屋外側の面に当接している。内障子２０Ｂの上内板部２２２には、気密材が設けられていない。
【００４１】
次に、外窓１の外障子２０Ａの戸先框２４（図３参照。以下同じ。）及び召合せ框２５（図３参照。以下同じ。）に設けられた振れ止め部材２２４について説明する。
【００４２】
図３に示すように、戸先框２４及び召合せ框２５には、それぞれ内部に上下方向全体にわたって框空間部Ｔ１が形成されている。框空間部Ｔ１の上端部には、それぞれ振れ止め部材２２４（図４参照）が挿入配置されている。
【００４３】
図４に示すように、各振れ止め部材２２４は、框空間部Ｔ１（図３参照。以下同じ。）内で屋外側に配置された屋外側振れ止め部２２４ａと、框空間部Ｔ１内で屋内側に配置された屋内側振れ止め部２２４ｃと、屋外側振れ止め部２２４ａの下端部と屋内側振れ止め部２２４ｃの下端部とを連結する下部振れ止め部２２４ｂと、を有している。屋外側振れ止め部２２４ａ、屋内側振れ止め部２２４ｃ及び下部振れ止め部２２４ｂは、一体として形成されている。屋外側振れ止め部２２４ａと屋内側振れ止め部２２４ｃとの間に、上枠１１の屋外側突出枠壁部１１３が配置されている。屋外側振れ止め部２２４ａと屋内側振れ止め部２２４ｃとで屋外側突出枠壁部１１３を屋内外方向に挟み込むことで、外障子２０Ａの屋内外方向の移動が規制されている。
【００４４】
次に、外窓１の内障子２０Ｂの戸先框２４及び召合せ框２５に設けられた振れ止め部材２２５について説明する。
【００４５】
各振れ止め部材２２５は、框空間部Ｔ１内で屋外側に配置された屋外側振れ止め部２２５ａと、框空間部Ｔ１内で屋内側に配置された屋内側振れ止め部２２５ｃと、屋外側振れ止め部２２５ａの下端部と屋内側振れ止め部２２５ｃの下端部とを連結する下部振れ止め部（不図示）と、を有している。屋外側振れ止め部２２５ａ、屋内側振れ止め部２２５ｃ及び下部振れ止め部は、一体として形成されている。屋外側振れ止め部２２５ａと屋内側振れ止め部２２５ｃとの間に、上枠１１の屋内側突出枠壁部１１４が配置されている。屋外側振れ止め部２２５ａと屋内側振れ止め部２２５ｃとで屋内側突出枠壁部１１４を屋内外方向に挟み込むことで、内障子２０Ｂの屋内外方向の移動が規制されている。
【００４６】
次に、外窓１の網戸縦框３４（図３参照。以下同じ。）について説明する。
網戸縦框３４の上端部には、上端部から下方に向かって凹む係合溝３２１が形成された網戸振れ止め部３２２が設けられている。係合溝３２１内に、外窓１の上枠１１の網戸突出枠壁部１１２が配置され、網戸３０の屋内外方向の移動が規制されている。
【００４７】
次に、内窓４の調整上枠５について説明する。
図５は、図２のＤ部拡大図である。
図５に示すように、調整上枠５は、調整上板部（固定部）５０１と、調整上板部５０１から下方に延びる屋外側板部５０２及び屋内側板部５０３と、を有している。屋外側板部５０２は、屋内側板部５０３よりも屋外側に配置されている。
【００４８】
調整上板部５０１は、平板状に形成され、板厚方向を上下方向に向けて配置されている。調整上板部５０１は、上額縁Ｒの下面に螺子等（不図示）で固定されている。
【００４９】
屋外側板部５０２及び屋内側板部５０３は、平板状に形成され、板厚方向を屋内外方向に向けて配置されている。
【００５０】
調整上板部５０１の下面には、伸縮部５０６，５０７が設けられている。伸縮部５０６，５０７は、スポンジや合成ゴム等の上下方向に伸縮可能な材料で構成されている。
【００５１】
伸縮部５０６．５０７は、上枠４１の延在方向（左右方向）の略全長にわたって配置されている。伸縮部５０６は、伸縮部５０７よりも屋外側に、間隔を有して配置されている。本実施形態では、伸縮部５０６，５０７は、左右方向に長い直方体状をなしている。
【００５２】
次に、内窓４の上枠４１について説明する。
上枠４１は、上枠板部４１１と、上枠板部４１１から下方に延びる屋外側突出部４１２、屋内側突出部４２２及び下向き枠壁部４２９と、を有している。屋外側突出部４１２、屋内側突出部４２２、下向き枠壁部４２９は、この順に屋外側から屋内側に向かって配置されている。
【００５３】
上枠板部４１１は、平板状に形成され、板厚方向を上下方向に向けて配置されている。上枠板部４１１は、調整上枠５の伸縮部５０６，５０７の下面に沿って配置されている。換言すると、上枠４１は開口部Ｐの上端の下方に隙間ＳＡを有して配置されていて、隙間ＳＡには伸縮部５０６，５０７が配置されている。
【００５４】
屋外側突出部４１２は、上枠板部４１１から下方に延び、屋内外方向に間隔を有して配置された一対の屋外側突出枠壁部４１３，４１４と、一対の屋外側突出枠壁部４１３，４１４の下端部どうしを連結する屋外側連結枠壁部４１５と、を有している。屋外側突出枠壁部４１３は、屋外側突出枠壁部４１４よりも屋外側に配置されている。
【００５５】
屋内側突出部４２２は、上枠板部４１１から下方に延び、屋内外方向に間隔を有して配置された一対の屋内側突出枠壁部４２３，４２４と、一対の屋内側突出枠壁部４２３，４２４の下端部どうしを連結する屋内側連結枠壁部４２５と、を有している。屋内側突出枠壁部４２３は、屋内側突出枠壁部４２４よりも屋外側に配置されている。
【００５６】
下向き枠壁部４２９は、平板状に形成され、板厚方向を屋内外方向に向けて配置されている。
【００５７】
図６は、上枠４１を下方から見た図である。
図６に示すように、上枠４１の上枠板部４１１には、屋外側突出部４１２と屋内側突出部４２２との間に、上下方向に貫通する複数の換気孔４３１，４３２及び取付孔４３６が形成されている。
【００５８】
複数の換気孔４３１は、左右方向（上枠の延在方向）に沿って間隔を有して一列状に配置されている。複数の換気孔４３２は、左右方向に沿って間隔を有して一列状に配置されている。
【００５９】
換気孔４３１により形成される列は、換気孔４３２により形成される列よりも屋外側に間隔を有して配置されている。また、換気孔４３１と換気孔４３２とは、屋内外方向に沿って同列状に配置されている。換気孔４３１，４３２は、左右方向に長い長孔をなしている。
【００６０】
取付孔４３６は、換気孔４３１，４３２と左右方向及び屋内側方向に重ならない位置に形成されている。
【００６１】
本実施形態では、取付孔４３６は、左右方向に沿う換気孔４３１の列と左右方向に沿う換気孔４３２の列との間に配置されている。換言すると、取付孔４３６は、換気孔４３１の列よりも屋内側、且つ換気孔４３２の列よりも屋外側に配置されている。また、各取付孔４３６は、隣り合う換気孔４３１（４３２）との間に左右方向に間隔（チリ）ｔを有して配置されている。
【００６２】
換気孔４３１，４３２及び取付孔４３６は、平面視で、伸縮部５０６，５０７（図６の二点鎖線参照）と異なる位置に形成されている。本実施形態では、換気孔４３１，４３２及び取付孔４３６は、伸縮部５０６よりも屋内側、且つ伸縮部５０７よりも屋外側に形成されている。
【００６３】
図５に示すように、取付孔４３６に挿通された螺子４３９が、調整上枠５の調整上板部５０１を貫通して、上額縁Ｒに螺合されている。上額縁Ｒに上下方向の凸凹や傾き等の不陸がある場合には、調整上枠５の伸縮部５０６，５０７が伸縮して不陸が吸収され、上枠４１が水平面に沿って配置される。
【００６４】
次に、内窓４の外障子５０Ａの上框５２について説明する。
上框５２は、屋外側に配置される上外板部５２１と、屋内側に配置される上内板部５２２と、上外板部５２１と上内板部５２２とを連結する上連結板部５２３と、を有している。
【００６５】
上外板部５２１及び上内板部５２２は、平板状に形成され、板厚方向を屋内外方向に向けて配置されている。
【００６６】
上連結板部５２３は、平板状に形成され、板厚方向を上下方向に向けて配置されている。上連結板部５２３は、上外板部５２１の上下方向の中間と上内板部５２２の上下方向の中間とを連結している。
【００６７】
上外板部５２１の上端部には、屋内側に向かって延びる延出壁部５２６が設けられている。延出壁部５２６の屋内側の端部には、下方に向かって延びる取付壁部５２７が設けられている。
【００６８】
取付壁部５２７の屋内側の面には、気密材５２９が設けられている。気密材５２９は、取付壁部５２７に固定される固定部５２９ａと、固定部５２９ａの下端部から屋内側に向かうにしたがって次第に上方に向かって延びる気密片５２９ｂと、を有している。気密片５２９ｂの屋内側の端部（上端部）は、上枠４１の屋外側突出枠壁部４１３の屋外側の面に当接している。
【００６９】
上内板部５２２の上端部には、屋外側に向かって延びる延出壁部５３６が設けられている。延出壁部５３６の屋外側の端部には、下方に向かって延びる取付壁部５３７が設けられている。
【００７０】
取付壁部５３７の屋外側の面には、気密材５３９が設けられている。気密材５３９は、取付壁部５３７に固定される固定部５３９ａと、固定部５３９ａの下端部から屋外側に向かうにしたがって次第に上方に向かって延びる気密片５３９ｂと、を有している。気密片５３９ｂの屋外側の端部（上端部）は、上枠４１の屋外側突出枠壁部４１４の屋内側の面に当接している。
【００７１】
内窓４の内障子５０Ｂの上框５２の構成は、外障子５０Ａの上框５２の構成と同様であり、同様に構成については同一の符号を付して説明を省略する。内窓４の内障子５０Ｂにも、気密材５２９，５３９が設けられている。気密材５２９の気密片５２９ｂの屋内側の端部（上端部）は、上枠４１の屋内側突出枠壁部４２３の屋外側の面に当接している。気密材５３９の気密片５３９ｂの屋外側の端部（上端部）は、上枠４１の屋内側突出枠壁部４２４の屋内側の面に当接している。
【００７２】
次に、内窓４に設けられた気密材について説明する。
上記に示す気密材５２９，５３９の他に、図２に示すように、外障子５０Ａの下框５３の下端部には、下枠４２から上方に突出するレール部４４２を挟んで屋外側に気密材５４９が設けられ、屋内側に気密材５５１が設けられている。また、内障子５０Ｂの下框５３の下端部には、下枠４２から上方に突出するレール部４４３を挟んで屋外側に気密材５４９が設けられ、屋内側に気密材５５１が設けられている。気密材５４９，５５１により、外障子５０Ａの下框５３の下端部とレール部４４２との間は閉塞されている。気密材５４９，５５１により、内障子５０Ｂの下框５３の下端部とレール部４４３との間は閉塞されている。
【００７３】
また、図３に示すように、外障子５０Ａの戸先框５４の左右方向の端部には、縦枠４３との間に気密材５５２が設けられている。気密材５５２により、外障子５０Ａが閉じた状態で、戸先框５４と縦枠４３との間は閉塞されている。
【００７４】
外障子５０Ａの召合せ框５５の屋内側の面には、気密材５６９が設けられている。内障子５０Ｂの召合せ框５５の屋外側の面には、気密材５８９が設けられている。外障子５０Ａ及び内障子５０Ｂが閉じた状態で、気密材５６９，５８９により、互いの召合せ框５５間は閉塞されている。
【００７５】
内障子５０Ｂの戸先框５４の左右方向の端部には、縦枠４３との間に気密材５５３が設けられている。気密材５５３により、内障子５０Ｂが閉じた状態で、戸先框５４と縦枠４３との間は閉塞されている。
【００７６】
次に、上記の二重サッシ１００において、負圧が生じた際の空気の流れや圧力について説明する。
図７は、二重サッシ１００の内窓４において、負圧が生じた際の空気の流れを説明する図である。
外窓１及び内窓４が閉塞された閉塞状態で、負圧が生じると、図７に示すように、内窓４では、屋内の空気が、上枠４１の換気孔（外障子５０Ａよりも屋内側の形成された換気孔）４３２のうち左右方向で外障子５０Ａが配置される側の換気孔４３２Ａを、上方に通過する。空気は、上枠４１と調整上枠５との間に形成された隙間ＳＡ（図５参照）を流通して、換気孔（内障子５０Ｂよりも屋外側の形成された換気孔）４３１のうち左右方向で内障子５０Ｂが配置される側の換気孔４３１Ａを、下方に通過して、内窓４と外窓１との間へと流通する。
【００７７】
図８は、二重サッシ１００の外窓１において、負圧が生じた際の挙動を示す図である。
また、図８に示すように、外窓１では、外障子２０Ａ及び内障子２０Ｂが負圧を受けて屋外側に変位すると、外障子２０Ａの振れ止め部材２２４の屋内側振れ止め部２２４ｃが上枠１１の屋外側突出枠壁部１１３の屋内側の面に当接する。また、内障子２０Ｂの振れ止め部材２２５の屋内側振れ止め部２２５ｃが上枠１１の屋内側突出枠壁部１１４の屋内側の面に当接する。外障子２０Ａ及び内障子２０Ｂの上内板部２２２と屋外側突出枠壁部１１３及び屋内側突出枠壁部１１４との間には、それぞれ隙間Ｓ１が生じている。
【００７８】
また、外障子２０Ａ及び内障子２０Ｂの気密材２２９と屋外側突出枠壁部１１３及び屋内側突出枠壁部１１４との間には、それぞれ形成される隙間Ｓ２が生じている。
【００７９】
図８では外障子２０Ａ及び内障子２０Ｂの上外板部２２１、上内板部２２２及び上連結板部２２３の左右方向の両端部側の挙動を二点鎖線で示し、上外板部２２１、上内板部２２２及び上連結板部２２３の左右方向の中央側の挙動を実線で示している。外障子２０Ａ及び内障子２０Ｂの左右方向の両端部側では、振れ止め部材２２４の屋内側振れ止め部２２４ｃ及び振れ止め部材２２５の屋内側振れ止め部２２５ｃがそれぞれ屋外側突出枠壁部１１３及び屋内側突出枠壁部１１４に当接して、外障子２０Ａ及び内障子２０Ｂの変位が抑制されている。外障子２０Ａ及び内障子２０Ｂの左右方向の中央側では、左右方向の両端部側よりも、屋外側に撓むように変位している。これにより、隙間Ｓ２は、左右方向の中央側で大きくなっている。
【００８０】
上記のように内窓４を通過してきた空気は、内窓４と外窓１との間から、外窓１の内障子２０Ｂの上框２２の上内板部２２２と屋内側突出枠壁部１１４との間の隙間Ｓ１を通過して、上框２２の気密材２２９と上枠１１の屋内側突出枠壁部１１４との間の隙間Ｓ２を通過する。さらに、空気は、外障子２０Ａの上框２２の上内板部２２２と屋外側突出枠壁部１１３との間の隙間Ｓ１を通過して、上框２２の気密材２２９と上枠１１の屋外側突出枠壁部１１３との間の隙間Ｓ２を通過する。
【００８１】
このように、内窓４から外窓１まで、連通して隙間（空気の流路）が生じるため、内窓４の屋内側と屋外側との圧力差が低減される。
【００８２】
このように構成された二重サッシ１００では、外窓１及び内窓４が閉塞された閉塞状態で、負圧が生じた際に、空気は、内窓４の上枠４１の換気孔４３２Ａを通過し、上枠４１と開口部Ｐの上端との間の隙間ＳＡを通過して、上枠４１の換気孔４３１Ａを通過する。また、外窓１では、負圧が生じた際に、空気が屋内側から屋外側に流通可能となる。よって、負圧が生じた際に、内窓４の屋内側から外窓１の屋外側まで連通した空気の流路ができるため、内窓４の屋内側と屋外側との圧力差（内窓に作用する圧力）を低減させることができ、内窓４の外障子５０Ａ及び内障子５０Ｂが枠体４０から外れることが抑制される。
【００８３】
また、開口部Ｐの上端に調整上枠５の調整上板部５０１を固定することで、上枠４１の上方には、伸縮部５０６，５０７の高さに相当する高さの隙間ＳＡが形成される。また、換気孔４３１，４３２は、平面視で、伸縮部５０６，５０７と異なる位置に配置されている。よって、負圧が生じた際に、内窓４の屋内側から換気孔４３２、隙間ＳＡ及び換気孔４３１を通過して外窓１の屋外側まで連通した流路を確実に形成することができる。
【００８４】
また、上枠４１の取付孔４３６には螺子４３９が挿通され、螺子４３９は開口部Ｐの上端に設けられた上額縁Ｒに螺合されている。上枠４１における取付孔４３６の外縁には、上額縁Ｒに螺合された螺子４３９により負荷が作用する。換気孔４３１，４３２は取付孔４３６と左右方向及び屋内外方向に重ならない位置形成されているため、換気孔４３１，４３２が取付孔４３６に作用する負荷の影響を受けて破損することが抑制される。
【００８５】
また、換気孔４３１，４３２及び取付孔４３６は、上枠４１の上枠板部４１１から下方に突出する屋外側突出部４１２と屋内側突出部４２２との間に形成されている。よって、下方から上枠４１を見上げた際に、換気孔４３１，４３２及び取付孔４３６が屋外側突出部４１２と屋内側突出部４２２に隠れて目立ちにくく、見栄えがよい。
【００８６】
（変形例）
次に、本発明の一実施形態の変形例について、主に図９を用いて説明する。
なお、以下の説明において、前述した部材と同一の部材には同一の符号を付して、その説明を省略する。
図９は、本発明の一実施形態の変形例に係る二重サッシの内窓の上枠の上方の構成を示す水平断面図であり、上枠の上方に配置された伸縮部を通る水平断面図である。なお、図９では、上枠を二点鎖線の外形を二点鎖線で示している。
図９に示すように、本変形例では、上枠４１Ａの上方の隙間ＳＡ（図５参照）には、伸縮部５０６，５０７が設けられるとともに、吸音材５０８ａ，５０８ｂ，５０８ｃが設けられている。
【００８７】
吸音材５０８ａ，５０８ｂ，５０８ｃは、この順で（屋内側から見て）左側から右側に間隔を有して配置されている。
【００８８】
吸音材５０８ａ，５０８ｃは、伸縮部５０７の屋外側の面に沿って配置されている。吸音材５０８ｂは、伸縮部５０６の屋内側の面に沿って配置されている。つまり、吸音材５０８ａ，５０８ｃは、吸音材５０８ｂよりも屋内側に配置されている。
【００８９】
吸音材５０８ａ，５０８ｂ，５０８ｃは、調整上枠５の調整上板部５０１の下面または上枠４１の上枠板部４１１の上面に取り付けられていることが好ましい。吸音材５０８ａ，５０８ｂ，５０８ｃは、隙間ＳＡと略同一の高さを有していることが好ましい。吸音材５０８ａ，５０８ｂ，５０８ｃは、スポンジ等の材料で構成されている。
【００９０】
上記の構成では、外窓１及び内窓４が閉塞された閉塞状態で、負圧が生じた際に、換気孔４３２Ａから隙間ＳＡに流入した空気は、左右方向に流通する際に、上枠４１Ａの屋内側に配置された吸音材５０８ａに衝突し、吸音材５０８ａを回避して、吸音材５０８ａの屋外側と通過する。次に、空気は、上枠４１Ａの屋外側に配置された吸音材５０８ｂに衝突し、吸音材５０８ｂを回避して、吸音材５０８ｂの屋内側と通過する。次に、空気は、上枠４１Ａの屋内側に配置された吸音材５０８ｃに衝突し、吸音材５０８ｃを回避して、吸音材５０８ｃの屋外側と通過する。このように隙間ＳＡ内を左右に曲がりつつ進んで、換気孔４３１Ａを下方に通過して、内窓４と外窓１との間へと流通する。
【００９１】
このように構成された外窓１及び内窓４が閉塞された閉塞状態で、負圧が生じた際に、空気は、上枠４１Ａの換気孔４３２Ａを通過し、上枠４１Ａと開口部Ｐの上端との間の隙間ＳＡを通過して、上枠４１Ａの換気孔４３１Ａを通過する。また、外窓１では、負圧が生じた際に、空気が屋内側から屋外側に流通可能となる。よって、負圧が生じた際に、内窓４の屋内側から外窓１の屋外側まで連通した空気の流路ができるため、内窓４の屋内側と屋外側との圧力差（内窓に作用する圧力）を低減させることができ、内窓４の外障子５０Ａ及び内障子５０Ｂが枠体４０から外れることが抑制される。
【００９２】
また、隙間ＳＡ内を流通する空気は、吸音材５０８ａ，５０８ｂ，５０８ｃを衝突して速度が減速するとともに、空気の（通過する際の）音が吸音材５０８ａ，５０８ｂ，５０８ｃに吸収される。よって、空気の流通の遮音性を向上することができる。
【００９３】
なお、上述した実施の形態において示した各構成部材の諸形状や組み合わせ等は一例であって、本発明の主旨から逸脱しない範囲において設計要求等に基づき種々変更可能である。
【００９４】
例えば、上記に示す実施形態では、開口部Ｐの上端に沿って設けられた調整上枠５が配置されているが、本発明はこれに限られない。上枠が開口部Ｐの上端の下方に隙間を有して配置されていればよく、開口部Ｐの上端に沿ってスペーサー（不図示）等を左右方向に間隔を有して複数配置して、スペーサーの下面に沿って上枠を配置してもよい。この構成では、上枠と開口部Ｐの上端との間に、スペーサーの高さに相当する隙間が形成され、当該隙間を空気が通過することができる。また、スペーサーにより上額縁Ｒの不陸を調整され、上枠を水平面に沿って取り付けることができる。
【００９５】
また、上記に示す実施形態では、換気孔４３１，４３２はそれぞれ左右方向に沿って一列状に形成されているが、本発明はこれに限られず、配置位置等は適宜設定可能である。
【００９６】
また、上記に示す実施形態では、取付孔４３６は、換気孔４３１，４３２と左右方向及び屋内側方向に重ならない位置に形成されているが、本発明はこれに限られない。換気孔は、取付孔と、上枠の延在方向及び屋内外方向の少なくともいずれか一方の方向に重ならない位置に形成されていることが好ましい。よって、換気孔は、取付孔を通る左右方向の延長線上、または取付孔を通る屋内外方向の延長線上に形成されていないことが好ましい。
【００９７】
また、上記に示す実施形態では、外窓１は引違いサッシであるが、本発明はこれに限られない。外窓は、負圧が生じた際に、空気を屋外側に流通可能となればよく、片引戸や上げ下げ窓であってもよい。
【００９８】
また、上記に示す実施形態では、外窓１及び内窓４のガラス２９，５９は、それぞれ単層の板ガラスであるが、本発明はこれに限られず、複層ガラス等であってもよい。
【００９９】
また、内窓４の外障子５０Ａにおいて、屋外側突出部４１２の屋外側及び屋内側にそれぞれ気密材５２９，５３９が設けられ、屋外側突出部４１２を挟んで屋内外両側で気密性が確保されている。また、レール部４４２の屋外側及び屋内側にそれぞれ気密材５４９，５５１が設けられ、レール部４４２を挟んで屋内側両側で気密性が確保されている。また、外障子５０Ａと縦枠４３との間には気密材５５２が設けられ、気密性が確保されている。また、内窓４の内障子５０Ｂでも、屋内側突出部４２２の屋外側及び屋内側にそれぞれ気密材５２９，５３９が設けられ、屋内側突出部４２２を挟んで屋内外両側で気密性が確保されている。また、レール部４４３の屋外側及び屋内側にそれぞれ気密材５４９，５５１が設けられ、レール部４４３を挟んで屋内側両側で気密性が確保されている。また、内障子５０Ｂと縦枠４３との間には気密材５５３が設けられ、気密性が確保されている。また、外障子５０Ａの召合せ框５５と内障子５０Ｂの召合せ框５５との間には、気密材５６９，５８９が設けられ気密性が確保されている。つまり、本実施形態の内窓４は、気密性が高く、負圧が生じた際には、内窓４に大きな負圧が作用しやすい。よって、中間層Ｍ（図２参照）から外窓１に形成された隙間Ｓ１，Ｓ２まで連通した空気の流路を形成して、中間層Ｍの圧力を低減させることは、気密性が高い内窓４の外障子５０Ａ及び内障子５０Ｂが枠体４０から外れさせないために、重要な構成である。
【符号の説明】
【０１００】
１…外窓
４…内窓
５…調整上枠
１０，４０…枠体
１１，４１，４１Ａ…上枠
１２，４２…下枠
１３，４３…縦枠
２０Ａ，５０Ａ…外障子
２０Ｂ，５０Ｂ…内障子
２１，５１…框体
２２，５２…上框
２３，５３…下框
２４，５４…戸先框
２５，５５…召合せ框
２７，５７…ガラス保持溝
２９，５９…ガラス
３０…網戸
１００…二重サッシ
４３１，４３１Ａ，４３２，４３２Ａ…換気孔
４３６…取付孔
５０１…調整上板部（固定部）
５０６，５０７…伸縮部
Ｐ…開口部
ＳＡ…隙間
Ｓ１…隙間
Ｓ２…隙間
Ｗ…壁部
【図１】
2019116765.tif 000003
【図２】
2019116765.tif 000004
【図３】
2019116765.tif 000005
【図４】
2019116765.tif 000006
【図５】
2019116765.tif 000007
【図６】
2019116765.tif 000008
【図７】
2019116765.tif 000009
【図８】
2019116765.tif 000010
【図９】
2019116765.tif 000011